(57)【要約】【課題】  本発明は、既存のヘアーキャッチャーに固形塩素剤による除菌機能を設けることにより新たに除菌設備を付加することなく除菌が行える循環式風呂および循環式風呂に用いるヘアーキャッチャーを提供することを目的とするものである。【解決手段】  本発明は、その上端開口縁に蓋部５が着脱自在な状態で装着され、その上部および下部にそれぞれ流入パイプ３および流出パイプ４が連通されると共に、その内部に上端が開口状とされるメッシュ状の異物捕捉収納部７が設けられるヘアーキャッチャー１において、前記蓋部５に開設される除菌剤を投入ための投入口１２と、前記蓋部５の下面に投入口１２と連通状とされる通水性を有する固形除菌剤収納部１５と前記投入口１２に開閉自在とされるキャップ部１３とを備える。【選択図】      図１
2005058639.tif 000002
【特許請求の範囲】
【請求項１】
浴槽内の水が循環ポンプによって、ヘアーキャッチャーおよび濾過器を通して濾過されると共に熱交換器によって加熱還流される循環式風呂において、
前記ヘアーキャッチャー内に通水性を有する固形除菌剤収納部を備える
ことを特徴とする循環式風呂。
【請求項２】
前記固形除菌剤収納部への固形殺菌剤の投入は、ヘアーキャッチャーの蓋部に設けられる投入口より行われる
ことを特徴とする請求項１記載の循環式風呂。
【請求項３】
前記投入口に、開閉自在とされるキャップ部が設けられる
ことを特徴とする請求項２記載の循環式風呂。
【請求項４】
その上端開口縁に蓋部が着脱自在な状態で装着され、その上部および下部にそれぞれ流入用パイプおよび流出用パイプが連通されると共に、その内部に上端が開口状とされるメッシュ状の異物捕捉収納部が設けられるヘアーキャッチャーにおいて、
前記蓋部に開設される除菌剤を投入ための投入口と、
前記蓋部の下面に投入口と連通状とされる通水性を有する固形除菌剤収納部と、
前記投入口に開閉自在とされるキャップ部とを備える
ことを特徴とする循環式風呂に用いるヘアーキャッチャー。
【請求項５】
前記開閉部に気圧調整用の空気弁を設けた、
ことを特徴とする請求項４記載の循環式風呂に用いるヘアーキャッチャー。
【発明の詳細な説明】
【技術分野】
【０００１】
本発明は循環式風呂および循環式風呂に用いるヘアーキャッチャーに関する。詳しくは循環式風呂におけるヘアーキャッチャー内に固形塩素薬剤により活性塩素を放出するの機能を備えた循環式風呂および循環式風呂に用いるヘアーキャッチャー。
【背景技術】
【０００２】
循環式風呂は、浴槽内の水を循環ポンプによって取り出し、濾過し、加熱しして還流させる循環経路を設け、風呂水の異物や雑菌を取り除きながら、浴湯を４０℃前後の温度程の保ち、いつでも入浴できるようにしたものであり、この種の循環式風呂水として図  に示すように、浴槽１０１内の水を循環ポンプ１０２によって取り出し、濾過機１０３を通して濾過し、その濾液を加熱機１０４によって加熱して還流させる循環経路１０５を設けた循環式風呂において、循環経路の循環ポンプ１０２と濾過機１０３の間において風呂水を分流させ、薬剤溶解器１０６に至る分水管１０７に調節弁１０８を設けて分水量を制御し、溶出したハロゲン化薬剤を含む風呂水を加熱された風呂水に合流させて浴槽１０１に還流させる構成とする（例えば、特許文献１参照。）。
【０００３】
【特許文献１】特開平１０−２３５３６８号（要約書、第１図）
【発明の開示】
【発明が解決しようとする課題】
【０００４】
ところで近年循環式温泉施設の増加に伴い、レジオネラ菌の発生による事故が多発したことにより、風呂水の濾過と共に、塩素による除菌処理が義務付けられており、既存の循環経路に前記のような薬剤溶解器を循環ポンプと濾過機の間に設置することになるが、限られた設置場所での増設作業は非常に煩雑な作業となり、この間に営業を停止しなければならない場合がある。
【０００５】
また、民宿などの循環式温泉設備では別途薬剤溶解器を設置する場所の余裕がない場合が多く、そのために薬剤溶解器が組み込まれた新たな循環装置の設置を余儀なくされ、コスト的負担が非常に大きくなる問題がある。
【０００６】
さらに、薬液を使用する場合には一定量の薬液を注入するためのポンプやタンクなどの附属設備が別途必要となり、これらの薬液の管理やメンテナンスが生じる問題がある。
【０００７】
本発明は、以上の点に鑑みて創案されたものであって、既存のヘアーキャッチャーに固形塩素剤による除菌機能を設けることにより新たに除菌設備を付加することなく殺菌が行える循環式風呂および循環式風呂に用いるヘアーキャッチャーを提供することを目的とするものである。
【課題を解決するための手段】
【０００８】
上記の目的を達成するために、本発明に係る循環式風呂は、浴槽内の水が循環ポンプによって、ヘアーキャッチャーおよび濾過器を通して濾過されると共に熱交換器によって加熱還流される循環式風呂において前記ヘアーキャッチャー内に通水性を有する固形除菌剤収納部を備える。
【０００９】
ここで、ヘアーキャッチャー内に固形殺菌剤収納部を設けることにより、この固形殺菌剤収納部に投入される固形除菌剤は、ヘアーキャッチャー内を通過する風呂水により晒されることとなり、これにより溶出される塩素によって浴水が除菌されながら循環されることとなる。
【００１０】
また、上記の目的を達成するために、本発明に係る循環式風呂に用いるヘアーキャッチャーは、その上端開口縁に蓋部が着脱自在な状態で装着され、その上部および下部にそれぞれ流入用パイプおよび流出用パイプが連通されると共に、その内部に上端が開口状とされるメッシュ状の異物捕捉収納部が設けられるヘアーキャッチャーにおいて、前記蓋部に開設される除菌剤を投入ための投入口と、前記蓋部の下面に投入口と連通状とされる通水性を有する固形除菌剤収納部と前記投入口に開閉自在とされる開閉部とを備える。
【００１１】
ここで、蓋部に開設される薬剤を投入する投入口に連通状とした固形除菌剤収納部を蓋部の下面に設けることにより、ヘアーキャッチャーの蓋部を閉めた状態での薬剤の投入が可能となる。従って風呂水の循環を止めることなく薬剤の投入が可能となる。
【発明の効果】
【００１２】
本発明の循環式風呂では、ヘアーキャッチャー内に設けた固形除菌剤収納部へ固形除菌剤を投入することにより、既存の循環経路に新たな設備を付加することなく、除菌機能を備えることが可能となる。
【００１３】
また、本発明の循環式風呂に用いるヘアーキャッチャーでは、蓋部に開設される投入口と連通状の固形除菌剤収納部を蓋部の下面に設けることにより、固形除菌剤の投入が循環装置を停止することなく行うことが可能となる。更に既存のヘアーキャッチャーに対して蓋部のみを取り替えることにより除菌機能を備えることが可能となる。
【発明を実施するための最良の形態】
【００１４】
以下、本発明の実施の形態を図面を参酌しながら説明し、本発明の理解に供する。
【００１５】
図１に、本発明の循環式風呂に用いるヘアーキャッチャーの一例を説明するための側面説明図、図２に、図１における平面説明図を示す。ここで示すヘアーキャッチャー１は、上端が開口状とされる円筒収納部２と、この円筒収納部２の上部および下部にそれぞれに連通される流入用パイプ３および流出用パイプ４と、円筒収納部２の開口端に装着される蓋部５とから構成されるものである。
【００１６】
そこで前記円筒収納部２はその内周面に沿って突起部６が周設される。この突起部６に、メッシュ状の異物捕捉収納部７の開口縁８を係止させた状態で装入するものである。この異物捕捉収納部７によって流入用パイプ３より円筒収納部２内に流入する風呂水は異物捕捉収納部７内を通過する際に頭髪やゴミなどの異物が捕捉される。
【００１７】
次に前記蓋部５は、アクリル製の透明合成樹脂素材により形成されるものであり、円筒収納部２の開口縁に周設されるフランジ部９に穿孔されるネジ穴１０と、蓋部５の円周に沿って穿孔されるネジ穴１０とを合わせた状態でボルトによる締結部材１１によって締結することにより蓋部５を着脱自在な機構とするものである。
【００１８】
そこで前記蓋部５の中央部分には固形除菌剤を投入することができる大きさの投入口１２が貫設されるものであり、この投入口１２に対してキャップ部１３が開閉自在な状態で螺着される機構とするものである。
【００１９】
また、前記キャップ部１３には円筒収納部２内の気圧を調整するための空気弁１４が設けられ、この空気弁１４によって円筒収納部２内に流入する風呂水の水位の調整を行うものである。
【００２０】
次に前記蓋部５の投入口１２下の裏面に通水性に優れた網体により形成される固形除菌剤収納部１５を垂下するものであり、この固形除菌剤収納部１５内に固形除菌剤を投入することにより、固形除菌剤収納部１５内を通過する風呂水によって固形除菌剤が除々に溶出しながら風呂水の殺菌を行う構成とするものである。
【００２１】
なお、蓋部は必ずしも透明のアクリル板によって形成される必要性は無く、耐蝕性・耐酸性を有するものであれば、ステンレス板などの金属板、あるいは合成樹脂板などいかなるものであっても良いが、透明にすることで固形除菌剤収納部１５内に投入された固形除菌剤の減り具合を確認することができ、かつ、耐久性に優れたアクリル板によって形成される方が望ましい。
【００２２】
また、図３に本発明の循環式風呂の一例を説明するための循環経路図を示す。ここで示す風呂の循環経路は、濾過循環ポンプ１６によって浴槽１７内の風呂水Ａをヘアーキャッチャー１から濾過器１８および熱交換器１９を通して浴槽１７内へ循環させる構成とするものである。
【００２３】
そこで図４に示すように、ヘアーキャッチャー１の円筒収納部２内へ流入する風呂水Ａは、固形除菌剤収納部１５内に投入された固形除菌剤Ｂを通過することにより、固形除菌剤Ｂが溶出し、この溶出する塩素成分によって風呂水に発生し易いレジオネラ菌を除菌しながら異物捕捉収納部７内を通過し、頭髪やゴミなどの異物が異物捕捉収納部７によって捕捉された後に濾過器１８側へ流出される。
【００２４】
更に濾過器１８によって臭気や非常に細かい不純物が除去された後に、熱交換器１９によって設定温度まで加熱され、浴槽１７内へ再び循環される。
このようにして風呂水を循環させることでレジオネラ菌の発生を完全に抑えることが可能となる。
【００２５】
以上の構成より成る本発明では、ヘアーキャッチャーに除菌機能を備えることにより既存の循環経路を使用することができる。
また、固形の除菌剤を使用することによりヘアーキャッチャー内への投入が容易に行える。更に既存のヘアーキャッチャーに対して蓋部のみを取り替えることにより除菌機能を付加することができ、新たな設備や設置場所が不要となる。
【図面の簡単な説明】
【００２６】
【図１】本発明の循環式風呂に用いるヘアーキャッチャーの一例を示す側面説明図である。
【図２】図１における平面説明図である。
【図３】本発明の循環式風呂の循環経路の一例を示す説明図である。
【図４】本発明のヘアーキャッチャーの除菌機能を示す作用説明図である。
【図５】従来の循環式風呂の循環経路の一例を示す説明図である。
【符号の説明】
【００２７】
１      ヘアーキャッチャー
２      円筒収納部
３      流入用パイプ
４      流出用パイプ
５      蓋部
６      突起部
７      異物捕捉収納部
８      開口縁
９      フランジ部
１０    ネジ穴
１１    締結部材
１２    投入口
１３    キャップ部
１４    空気弁
１５    固形除菌剤収納部
１６    濾過循環ポンプ
１７    浴槽
１８    濾過器
１９    熱交換器
【図１】
2005058639.tif 000003
【図２】
2005058639.tif 000004
【図３】
2005058639.tif 000005
【図４】
2005058639.tif 000006
【図５】
2005058639.tif 000007